(57)【要約】  【課題】部品点数を削減し、簡素な構成によってもアジャスタの回転を確実に防止することができるとともに、耐振性も有効に高め得るようにした新規有用なアジャスタ装置を提供する。【解決手段】家具本体２を載せ置いて支持するベース１に適用され、このベース１を構成する架材１４にほぼ鉛直方向のねじ孔３ａを設けて、このねじ孔３ａにアジャスタ４の軸部４１を螺合させるようにしたものである。そして、そのアジャスタ４を、板材の一部をほぼコ字形に折り曲げるとともに水平部４２に軸部４１を回転自在に取り付けて構成し、折り曲げにより立ち上がった各面板部４３を架材１４の側面１４ｂ１にほぼ交叉するように、かつアジャスタ４が軸部４１の軸心回りに何れの方向に回転しても、対応する面板部４３の端縁４３ａが架材１４の側面１４ｂ１に衝き当たることによってこれを阻止するように位置づけることとした。  【選択図】図２
2008228932.tif 000002
【特許請求の範囲】
【請求項１】
家具本体を載せ置いて支持するベースに適用され、当該ベースを構成する架材にほぼ鉛直方向のねじ孔を設けて、このねじ孔にアジャスタの軸部を螺合させるようにしたものであって、
アジャスタは板材の一部をほぼコ字形に折り曲げたもので、水平部には軸部が回転自在に取り付けられ、折り曲げにより立ち上がった各面板部は架材の側面にほぼ交叉するように、かつアジャスタが軸部の軸心回りに何れの方向に回転しようとしても対応する面板部の端縁が架材の側面に衝き当たることによってこれを阻止するように位置づけられることを特徴とするアジャスタ装置。
【請求項２】
板材の水平部が接地し、ベースの傾動時に立ち上げた面板部の両端縁に架材の側面が衝き当たって傾動を制止されるように構成している請求項１記載のアジャスタ装置。
【請求項３】
水平部を架材の側面とほぼ直交する方向に延出させた状態で、一対の面板部の端縁が架材の側面に同時に当接ないし近接する部位に位置するように、アジャスタの面板部の端縁位置が揃えてある請求項１又は２記載のアジャスタ装置。
【請求項４】
水平部を架材の側面に対して直交でも平行でもない方向に延出させた状態で、一対の面板部の端縁が架材の側面に同時に当接ないし近接する部位に位置するように、アジャスタの面板部の端縁位置が異ならせてある請求項１又は２記載のアジャスタ装置。
【請求項５】
床固定用の孔が、軸部から変位させて面板部が存する側の水平部に設けてある請求項１〜４記載のアジャスタ装置。
【請求項６】
請求項１〜５記載のアジャスタ装置を四隅近傍に付帯させて一体的に取り扱えるようにしたものであり、各々のアジャスタ装置を構成するアジャスタの水平部に床固定用の孔がそれぞれ設けてあることを特徴とするベース。
【請求項７】
請求項６記載のベース上に家具本体を載せ置いて構成されることを特徴とする家具。
【請求項８】
板材の一部をほぼコ字形に折り曲げ、水平部には軸部が回転自在に取り付けられて、折り曲げにより立ち上がった一対の面板部の端縁がともにほぼ軸部方向を向いていることを特徴とするアジャスタ。
【発明の詳細な説明】
【技術分野】
【０００１】
本発明は、保管庫やキャビネット等の家具本体をベース上に載せ置いて使用する際に、ベースを簡単、適切に支持できるようにしたアジャスタ装置及びこれを適用したベース及び家具、並びにこれらに適したアジャスタに関するものである。
【背景技術】
【０００２】
この種のアジャスタ装置として、例えば特許文献１，２等に示されるものが知られている。これらのものは、家具本体を載せ置いて支持するベースの架材にアジャスタを配置し、このアジャスタの軸部を回転操作する際にアジャスタ自体が回転しないように、アジャスタのうち軸部を支持するチャネル部を床に設置した上向きチャネル状のレール部材に嵌め込んで、レールの水平部から立ち上がった面板部でアジャスタの回転を防止するようにしている。
【特許文献１】実公昭６０−２６６７１号公報
【特許文献２】実公昭６３−１３７２６号公報
【発明の開示】
【発明が解決しようとする課題】
【０００３】
ところが、このような構造であると、アジャスタの他にレール部材が必要になるため、部品点数が増えて構造が複雑化するだけでなく、軸部とともにアジャスタが回転しようとする際にこれをレールの面板部が厚み方向に受け止める構造をなしているので、強度不足となり易い。特に、かかる構造は地震時などにおけるアジャスタの傾動防止に役立つようにも思われるが、実際にはアジャスタが傾動した際には面板部が厚み方向に塑性変形して反り返り易いため、大掛かりな割りには耐震性に実効があるかどうか定かではない。
【０００４】
本発明は、このような課題に着目してなされたものであって、部品点数を削減し、簡素な構成によってもアジャスタの回転を確実に防止することができるとともに、耐振性も有効に高め得るようにした新規有用なアジャスタ装置を提供することを目的としている。
【課題を解決するための手段】
【０００５】
本発明は、かかる目的を達成するために、次のような手段を講じたものである。
【０００６】
すなわち、本発明のアジャスタ装置は、家具本体を載せ置いて支持するベースに適用され、当該ベースを構成する架材にほぼ鉛直方向のねじ孔を設けて、このねじ孔にアジャスタの軸部を螺合させるようにしたものであって、アジャスタは板材の一部をほぼコ字形に折り曲げたもので、水平部には軸部が回転自在に取り付けられ、折り曲げにより立ち上がった各面板部は架材の側面にほぼ交叉するように、かつアジャスタが軸部の軸心回りに何れの方向に回転しようとしても対応する面板部の端縁が架材の側面に衝き当たることによってこれを阻止するように位置づけられることを特徴とする。
【０００７】
このようにすると、水平部は常に適切な方向を向いた状態となり、アジャスタが回転しない状態で軸部を回転操作することによりベースのねじ孔をねじ送りして、ベースの高さ調整を行うことができる。そして、アジャスタの回転阻止は両面板部の端縁が架材の側面に衝き当たることによってなされるので、面板部が受ける反力は端縁から当該面板部の面方向に作用することとなり、厚み方向に作用する場合に比して部材剛性によりアジャスタの回転を確実に阻止することが可能となる。
【０００８】
アジャスタを適切な方向に向けて安定接地させ、耐震性をも高め得るようにするためには、板材の水平部が接地し、ベースの傾動時に立ち上げた面板部の両端縁に架材の側面が衝き当たって傾動を制止されるように構成していることが望ましい。
【０００９】
アジャスタを製作容易でベースの四隅に共用できる構造にするためには、水平部を架材の側面とほぼ直交する方向に延出させた状態で、一対の面板部の端縁が架材の側面に同時に当接ないし近接する部位に位置するように、アジャスタの面板部の端縁位置が揃えてあることが好ましい。
【００１０】
ベースの安定性をより有効に高めるためには、水平部を架材の側面に対して直交でも平行でもない方向に延出させた状態で、一対の面板部の端縁が架材の側面に同時に当接ないし近接する部位に位置するように、アジャスタの面板部の端縁位置が異ならせてあるものが効果的である。
【００１１】
床固定に別部材を用いる必要性をなくしつつ、支持強度をより有効に高めるためには、床固定用の孔が、軸部から変位させて面板部が存する側の水平部に設けてあることが望ましい。
【００１２】
本発明のアジャスタ装置は、以上の構成であるから、これを四隅近傍に取り付けて一体的に取り扱えるようにベースを構成し、各々のアジャスタ装置を構成するアジャスタの水平部に床固定用の孔をそれぞれ設けておくことが、取扱い上、極めて便利であり、このようなベース上に家具本体を載せ置いて家具を完成させれば、短時間で当該家具の施工を適切に完了することができる。
【００１３】
そして、板材の一部をほぼコ字形に折り曲げ、水平部には軸部が回転自在に取り付けられて、折り曲げにより立ち上がった一対の面板部の端縁がともにほぼ軸部方向を向いている構造のアジャスタを構成すれば、上記のようなベースの架材に好適に適用できるほか、ベース以外の床固定用のアジャスタとしても広汎に活用することが可能となる。
【発明の効果】
【００１４】
本発明は、以上説明した構成であるから、保管庫やキャビネット等の家具本体をベース上に載せ置いて家具を構成するに際して、アジャスタをベースに付帯させても当該ベースの物流時などに邪魔にならず、設置時にはベースを置き敷くだけでアジャスタの水平部が適切な方向に揃い、使用時にはアジャスタが安定接地してベースを適切に支持できるようにした優れたアジャスタ装置を提供することが可能となる。
【発明を実施するための最良の形態】
【００１５】
以下、本発明の一実施形態を、図面を参照して説明する。
【００１６】
図１に示すものは、ベース１上に保管庫等の家具本体２を載置した家具を示している。
【００１７】
ベース１は、図２及び図３に示すように、家具本体２の形状に対応させて、断面コ字形の前枠１１、後枠１２及び左右の側枠１３を矩形の枠体状に組み付けたもので、その枠体の左右の側枠１３の直ぐ内側に、前枠１１と後枠１２の間に亘って前後方向に延びる上向き凹形状の架材１４を架け渡している。そして、このベース１の四隅近傍において、前記架材１４を利用してアジャスタ装置Ａを構成し、このアジャスタ装置Ａを通じてベース１に、家具本体２を載せ置く前または載せ置いた後におけるアジャスタ調整を通じて適正な支持状態を与え得るようにしている。
【００１８】
具体的に説明すると、アジャスタ装置Ａは、図４〜図６に示すように、架材１４に設けられて設置状態でほぼ鉛直方向のねじ孔３ａを有するナット部材３と、このナット部材３のねじ孔３ａに軸部４１を螺合させることによって取り付けられるアジャスタ４とからなる。
【００１９】
架材１４は、底板１４ａの両側に側板１４ｂを起立させその上端側に鍔部を有した逆ハット状をなすもので、底板１４ａにねじ通過孔１４ｃが設けられ、このねじ通過孔１４ｃに前述したねじ孔３ａが合致するようにその底板１４ａの下にナット部材３を強固に取り付けている。勿論、ナット部材３は底板１４ａの上に固定してもよく、またナット部材３に代えて底板１４ａそれ自体にねじ孔を設けても構わない。
【００２０】
一方、アジャスタ４は、ほぼＴ字状をなす板材の幅広部をコ字形に折り曲げることによって、水平部４２の一部から一対の面板部４３を立ち上げてなるもので、水平部４２の反立ち上げ部側である基端部に軸部４１を取り付けるための逆皿状の膨出部４４を設けている。そして、この膨出部４４の空洞内に軸部４１の一端部４１ａを配置して、当該軸部４１の一端部４１ａの近傍をかしめることにより、軸部４１を膨出部４４の頂壁部分に回転自在にかつ軸方向にほとんど変位し得ない状態で支持させている。この実施形態の面板部４３は側面視においてほぼ直角三角形状をなしており、その面板部４３の間に位置するようにして、水平部４２の一部に床固定用の孔４２ｂを設けている。また、前記軸部４１の他端部４１ｂ側には、レンチやドライバ等の工具を用いて軸部４１を回転操作することのできる角穴や溝などの係合部４１ｃが設けてある。
【００２１】
そして、このアジャスタ４の軸部４１を前述した架材１４に付帯するナット部材３のねじ孔３ａに下方から螺合させ、軸部４１の他端部４１ｂを架材１４の底板１４ａに設けたねじ通過孔１４ｃを通過させて架材１４の内部に進入させている。この状態において、水平部４２から立ち上がった面板部４３は、図５及び図６に示すように架材１４の側面１４ｂ１（側板１４ｂの外面）に対してほぼ交叉する向きに配置され、一対の面板部４３の端縁４３ａの少なくとも一部がアジャスタ調節しろの範囲でともに架材１４の側面１４ｂ１に当接ないし密接に近接する位置に配置されるものとなっている。
【００２２】
このようにベース１の四隅近傍に架材１４を介してアジャスタ４を取り付けた状態で、このベース１は設置場所に運搬され、床Ｆに置き敷かれる。そして、その際にはアジャスタ４の回転規制機能によって、水平部４２の延出端４２ａは何れも図３に示すように左右の架材１４から幅方向中央側を向いた状態となる。そして、置き敷いた後、上方からアジャスタ４の軸部４１に設けた係合部４１ｃに工具を係り合わせて回転操作しても、アジャスタ４の端縁４３ａが架材４の側面４１ｂ１に衝き当たって水平部４２の回転を禁止された状態で軸部４１が回転し、その状態で架材１４に設けたねじ孔３ａをねじ送りするので、アジャスタ４の方位を適正に保ったまま、ベース１が所定高さで水平に安定接地するようにアジャスタ調整を行うことができる。そして、水平部４２に設けた床固定用の孔４２ｂを介してアンカーボルトＶを打ち込むことによって、アジャスタ４を床Ｆに固定し、最後にベース１上に家具本体２を載せ置くことによって、家具の設置が完了する。勿論、家具本体２の底板（図示せず）に工具挿入用の孔を設けておけば、家具本体２をベース１上に載せ置いた後でもアジャスタ調整を行うことができる。この場合、孔は通常樹脂キャップ等で閉止しておけばよい。家具本体２とベース１との間は、必要に応じ適宜位置にてビス止め等により固定される。
【００２３】
以上のように、本実施形態のアジャスタ装置は、家具本体２を載せ置いて支持するベース１に適用され、このベース１を構成する架材１４にほぼ鉛直方向のねじ孔３ａを設けて、このねじ孔３ａにアジャスタ４の軸部４１を螺合させるようにしたものである。
【００２４】
そして、アジャスタ４を、板材の一部をほぼコ字形に折り曲げるとともに水平部４２に軸部４１を回転自在に取り付けて構成し、折り曲げにより立ち上がった各面板部４３を架材１４の側面１４ｂ１にほぼ交叉するように、かつアジャスタ４が軸部４１の軸心回りに図６に矢印Ｘで示すように何れの方向に回転しても、対応する面板部４３の端縁４３ａが架材１４の側面１４ｂ１に衝き当たることによってこれを阻止するように位置づけられる。
【００２５】
このため、水平部４２は常に図３に示す適切な方向を向いた状態となり、アジャスタ４が回転しない状態で軸部４１を回転操作することにより、架材１４のねじ孔３ａをねじ送りして、ベース１の高さ調整を行うことができる。そして、アジャスタ４の回転阻止は両面板部４３の端縁４３ａが架材１４の側面１４ｂ１に衝き当たることによってなされるので、面板部４３が受ける反力は端縁４３ａから図６に矢印Ｆで示すように当該面板部４３の面方向に作用することとなり、これと直交する厚み方向に作用する場合に比して、面板部４３の変形を有効に回避することができ、部材剛性によりアジャスタ４の回転を確実に阻止することが可能となる。
【００２６】
特に、図示のごとく板材の水平部４２が接地するとともに、水平部４２から立ち上がった面板部４３の両端縁４３が架材１４の側面１４ｂ１に密接に対峙して、図５に矢印Ｔで示すようにベース１が傾動した際に面板部４３の両端縁４３ａに架材１４の側面１４ｂ１が衝き当たって傾動を制止する位置関係にあるので、レール部材等を用いずとも水平部４２における有効接地面積の下に当該水平部４２を適切な方向に向けて安定接地させることができ、地震時などにはその端縁４３ａが架材１４の側面１４ｂ１を確実に受け止めて耐震性を有効に高めることが可能となる。
【００２７】
また、図６に示すように、水平部４２を架材１４の側面１４ｂ１とほぼ直交する方向に延出させた状態で、一対の面板部４３の端縁４３ａが架材１４の側面１４ｂ１に同時に当接ないし近接する部位に位置するように、面板部４３の端縁４３ａの位置が揃えてあるので、図３に示すようにベース１の四隅近傍をアジャスタ４で支持する場合に、アジャスタ４を作り易くかつ四隅の何れにも共用可能な形態にすることができる。
【００２８】
さらに、床固定用の孔４２ｂが、軸部４１から変位させて面板部４３が存する側の水平部４２に設けてあるので、床固定に別部材を用いる必要がないばかりか、面板部４３付近を床固定用の孔４２ｂを介してアンカーボルトＶにより床Ｆに固定しておくことによって、図５に矢印Ｔ方向から荷重が作用した際に高い安定度を得ることができる。
【００２９】
そして、上述したベース１はこのようなアジャスタ装置Ａを四隅近傍に付帯させて一体的に取り扱えるようにしたものであって、各々のアジャスタ装置Ａを構成するアジャスタ４に回転規制機能を付与し、かつ水平部４２に床固定用の孔４２ｂをそれぞれ設けたものであるので、水平部４２や床固定用の孔４２ｂが不規則な方向を向くことがなく、物流時には水平部４２が思わぬ方向を向いて邪魔になる不具合が解消されるとともに、固定作業時にはベース１を床Ｆに置き敷いてレベル調整をすれば、直ぐにアンカー固定作業等に入ることができる。
【００３０】
また、以上のようなベース１上に家具本体２を載せ置いて家具を完成させれば、短時間で家具の施工を適切に完了することが可能となる。
【００３１】
さらにまた、上記のアジャスタ４は、板材の一部をほぼコ字形に折り曲げ、水平部４２に軸部４１が回転自在に取り付けられ、折り曲げにより立ち上がった一対の面板部４３の端縁４３ｂがともにほぼ軸部４１の方向を向いている構造をなしているため、軸部４１を螺合させた状態で軸部４１と面板部４３の端縁４３ｂとの間に立面が位置するような適用対象であれば、このアジャスタ４をベース以外にも広く一般に適用して、取り付け状態で取り扱えて置き敷くだけで適正な方位を向くアジャスタとして利用することが可能となる。
【００３２】
なお、各部の具体的な構成は、上述した実施形態のみに限定されるものではない。
【００３３】
例えば、図７に示すように、水平部４２を架材１４の側面１４ｂ１に対して直交でも平行でもない方向に延出させた状態で、一対の面板部１４３、１４４の端縁１４３ａ、１４４ａが架材１４の側面１４ｂ１に同時に当接ないし近接する部位に位置するように、アジャスタ４の面板部１４３、１４４の端縁１４３ａ、１４４ａが図６と比べて異なる位置から立ち上がっている構造にすることも有効である。このようにすれば、図示のように一対の面板部１４３，１４４の端縁１４３ａ、１４４ａが架材１４の側面１４ｂ１に対向した状態で、水平部４２の延出端がベース１の外側に向かって開くように、つまり接地幅が広がるように各アジャスタ４の水平部４２を配置することができるので、ベース１の安定性をより有効に向上させることができる。
【００３４】
また、図６の変形例である図８に示すように、一対の面板部４３の端縁４３ａの形状が、同一面上にない端面４３ｂ、４３ｃとなることを妨げない。例えば、板材の小口が斜めの端面になっている場合、これをコ字形に折り曲げた端縁４３ａは自ずと同一面上にない端面２３ｂ、４３ｃの関係となる。また、このような構造を積極的に採り入れる例として、加工・組付誤差を考慮して架材１４の側面１４ｂ１と面板部４３の端縁４３ａとの間に多少のクリアランスを許容する場合に、水平部４２が僅かに回転したところで端面４３ｂ、４３ｃが架材１４の側面１４ｂ１に面当たりする設計等も可能である。
【００３５】
また、図７の変形例である図９においては、一対の面板部１４３，１４４の端縁１４３ａ、１４４ａの形状が、同一面上にない端面１４３ｂ、１４４ｂとなっているものである。すなわち、このものは図８の場合と比べて異なる位置から面板部１４３，１４４の端縁１４３ａ、１４４ａが立ち上がっており、通常の小口形状を有する板材を折り曲げれば、自ずと面板部の端縁はこのような同一面上にない関係となるものである。
【００３６】
その他の構成も、本発明の趣旨を逸脱しない範囲で種々変形が可能である。
【図面の簡単な説明】
【００３７】
【図１】本発明の一実施形態に係るアジャスタ装置を適用した家具の斜視図。
【図２】同アジャスタ装置を付帯させたベースの斜視図。
【図３】図２の平面図。
【図４】アジャスタ装置を示す斜視図。
【図５】同アジャスタ装置の取り付け状態を示す部分縦断面図。
【図６】同平面図。
【図７】本発明の他の実施形態を示す平面図。
【図８】図６の変形例を示す図。
【図９】図７の変形例を示す平面図。
【符号の説明】
【００３８】
Ａ…アジャスタ装置
１…ベース
２…家具本体
３ａ…ねじ孔
４…アジャスタ
１４…架材
１４ｂ１…側面
４１…軸部
４２…水平部
４２ｂ…床固定用の孔
４３，１４３，１４４…面板部
４３ａ、１４３ａ、１４４ａ…端縁
【図１】
2008228932.tif 000003
【図２】
2008228932.tif 000004
【図３】
2008228932.tif 000005
【図４】
2008228932.tif 000006
【図５】
2008228932.tif 000007
【図６】
2008228932.tif 000008
【図７】
2008228932.tif 000009
【図８】
2008228932.tif 000010
【図９】
2008228932.tif 000011